(57)【要約】【課題】スルー画表示中に除塵装置が動作していることを感覚的に把握のできるデジタルカメラを提供する。【解決手段】撮影レンズを通過した被写体光束を受光して被写体像信号を出力するＣＣＤ２２１と、被写体像信号に基づいて被写体の動画像でスルー画表示する液晶モニタ２６と、ＣＣＤ２２１の前方に配置された防塵フィルタ２１８と、この防塵フィルタ２１８を非可聴領域にて振動させる圧電素子２２０と、この圧電素子２２０に対して防塵フィルタ２１８を振動させるための制御信号を供給する防塵フィルタ駆動回路２１６と、ＣＣＤ２２１を撮影レンズの光軸に垂直な面に沿って周期的に変位させるＣＣＤ加振機構２２２を具備し、スルー画表示させた状態で、防塵フィルタ２１８を振動させる場合には、除塵動作中であることを認識できるように、ＣＣＤ加振機構２２２によりＣＣＤ２２１を変位させ、液晶モニタ２６にぶれた画像を表示する。【選択図】    図１
2008058770.tif 000002
【特許請求の範囲】
【請求項１】
撮影レンズを通過した被写体光束を受光して被写体像信号を出力する撮像手段と、
上記被写体像信号に基づいて被写体の動画像を表示装置に表示するスルー画表示手段と、
上記撮像手段の前方に配置された防塵フィルタ手段と、
この防塵フィルタ手段を非可聴領域にて振動させる加振手段と、
この加振手段に対して上記防塵フィルタを振動させるための制御信号を供給する加振制御手段と、
上記撮像手段を上記撮影レンズの光軸に垂直な面に沿って周期的に変位させる移動手段と、
を具備し、
上記スルー画表示手段を動作させた状態で、上記加振手段を動作させる場合には、上記移動手段により上記撮像手段を変位させ、ぶれた画像を表示することを特徴とするデジタルカメラ。
【請求項２】
上記加振制御手段に駆動開始指示を行う加振開始釦と、
この加振開始釦の操作に連動してオンオフする加振開始スイッチと、
を備え、
上記スルー画表示手段を動作させた状態で、上記加振開始スイッチにより上記加振釦の操作を検出したら上記移動手段により撮像手段を変位させ、ぶれた画像を表示することを特徴とする請求項１に記載のデジタルカメラ。
【請求項３】
上記移動手段は少なくとも２方向の変位方向に駆動でき、
カメラの姿勢差を検出し出力する姿勢検出センサと
を備え、
上記スルー画表示手段を動作させた状態で、上記移動手段により撮像手段を変位させる方向を、上記姿勢検出センサの出力に応じて切り替え、ぶれた画像を表示することを特徴とする請求項１に記載のデジタルカメラ。
【請求項４】
撮影レンズを通過した被写体光束を受光して被写体像信号を出力する撮像手段と、
上記被写体像信号に基づいて被写体の動画像を表示装置に表示するスルー画表示手段と、
上記撮像手段の前方に配置された防塵フィルタ手段と、
この防塵フィルタ手段を非可聴領域にて振動させる加振手段と、
この加振手段に対して上記防塵フィルタを振動させるための制御信号を供給する加振制御手段と、
上記撮影レンズを構成する光学系の一部を光軸に垂直な面に沿って変位させる移動手段と、
を具備し、
上記スルー画表示手段を動作させた状態で、上記移動手段により上記光学系の一部を変位させ、ぶれた画像を表示することを特徴とするデジタルカメラ。
【請求項５】
上記加振制御手段に駆動開始指示を行う加振開始釦と、
この加振開始釦の操作に連動してオンオフする加振開始スイッチと、
を備え、
上記スルー画表示手段を動作させた状態で、上記加振開始スイッチにより上記加振釦の操作を検出したら上記移動手段により上記光学系の一部を変位させ、ぶれた画像を表示することを特徴とする請求項４に記載のデジタルカメラ。
【請求項６】
上記移動手段は少なくとも２方向の変位方向に駆動でき、
カメラの姿勢差を検出し出力する姿勢検出センサと
を備え、
上記スルー画表示手段を動作させた状態で、上記移動手段により上記光学系の一部を変位させる方向を、上記姿勢検出センサの出力に応じて切り替え、ぶれた画像を表示することを特徴とする請求項４に記載のデジタルカメラ。
【請求項７】
撮影レンズを通過した被写体光束を受光して被写体像信号を出力する撮像手段と、
上記被写体像信号に基づいて被写体の動画像を表示装置に表示するスルー画表示手段と、
上記撮像手段もしくはこの前方に配置された光学素子に付着した塵埃を除去する塵埃除去手段と、
上記スルー画表示手段を動作させた状態で、上記塵埃除去手段を動作させる場合には、上記スルー画表示手段による動画像を揺らして表示するための揺らぎ画像生成手段と、
を具備することを特徴とするデジタルカメラ。
【請求項８】
上記揺らぎ画像生成手段は、上記撮像手段を上記撮影レンズの光軸と直交する面上を移動させる移動手段、若しくは上記撮影レンズの光学系の一部を移動させる移動手段であることを特徴とする請求項７に記載のデジタルカメラ。
【請求項９】
上記塵埃除去手段は、上記撮像手段もしくは上記光学素子に設けられた加振手段による超音波振動、上記撮像手段を駆動しその際に発生する加速度、上記撮像手段もしくは上記光学素子の前面に吹き付けられる空気流、または上記撮像手段若しくは上記光学素子の前面に発生させる静電気によって除去することを特徴とする請求項７に記載のデジタルカメラ。
【請求項１０】
上記撮像手段によって出力された被写体像信号に基づいて静止画像を記録する像記録手段を具備することを特徴とする請求項７に記載のデジタルカメラ。
【発明の詳細な説明】
【技術分野】
【０００１】
本発明は、スルー画表示機能と塵埃除去機能とを有するデジタルカメラに関する。
【背景技術】
【０００２】
デジタル一眼レフカメラの中には、可動ミラーを撮影光路から退避させると共にフォーカルプレーンシャッタを全開状態にして被写体像を撮像素子に導き、それによって得られた被写体像を連続的に液晶モニタ等の表示装置に表示するようにしたいわゆるスルー画表示機能（ライブビュー表示機能、電子ファインダ機能とのも言う）を有しているものがある（例えば、特許文献１参照）。また、撮像素子の撮像面に塵埃が付着すると、その影が写り込んで画質の低下を招くため、撮像素子の前面に防塵フィルタを配置し、この防塵フィルタを超音波振動させることによって付着した塵埃を除去する、いわゆる塵埃除去（ダストリダクション）機能を有するものもある（特許文献２参照）。特許文献２に開示された塵埃除去装置では、防塵フィルタの周縁部に圧電素子を固着し、この圧電素子に交流電圧を印加することで振動させ、それによって防塵フィルタに振動波を発生するようになっている。
【特許文献１】特開２００２−３６９２２２号公報
【特許文献２】特開２００３−３１９２２２号公報
【０００３】
また、塵埃を除去する別の方法として、特許文献３には、手振れ検出センサの出力に応答して撮像素子を撮影光軸に直交する面に沿ってシフトさせることで手振れ補正を行う、いわゆる撮像素子シフト方式の手振れ補正機構を有するカメラにおいて、この撮像素子シフト機構を利用して撮像素子を駆動し、そのときの加速度を利用して、撮像面に付着した塵埃を除去する技術が開示されている。さらに、撮像素子の前面に付着した塵埃を除去する除塵装置が動作中であることを表示する方法として、特許文献４には、塵除去の動作状態を電子カメラの動作表示用ＬＣＤにて順次表示することが開示されている。
【特許文献３】特開２００５−１５９７１１号公報
【特許文献４】特開２００６−９４０５７号公報
【発明の開示】
【発明が解決しようとする課題】
【０００４】
このように塵埃除去装置としては種々提案されており、また除塵動作中であること表示することも特許文献４に開示されているが、ＬＣＤ表示では除塵動作を感覚的に把握することができない。
【０００５】
本発明は、このような事情を鑑みてなされたものであり、スルー画表示中に除塵装置が動作していることを感覚的に把握のできるデジタルカメラを提供することを目的とする。
【課題を解決するための手段】
【０００６】
上記目的を達成するため第１の発明に係わるデジタルカメラは、撮影レンズを通過した被写体光束を受光して被写体像信号を出力する撮像手段と、上記被写体像信号に基づいて被写体の動画像を表示装置に表示するスルー画表示手段と、上記撮像手段の前方に配置された防塵フィルタ手段と、この防塵フィルタ手段を非可聴領域にて振動させる加振手段と、この加振手段に対して上記防塵フィルタを振動させるための制御信号を供給する加振制御手段と、上記撮像手段を上記撮影レンズの光軸に垂直な面に沿って周期的に変位させる移動手段を具備し、上記スルー画表示手段を動作させた状態で、上記加振手段を動作させる場合には、上記移動手段により上記撮像手段を変位させ、ぶれた画像を表示する。
【０００７】
また、第２の発明に係わるデジタルカメラは、上記第１の発明において、上記加振制御手段に駆動開始指示を行う加振開始釦と、この加振開始釦の操作に連動してオンオフする加振開始スイッチを備え、上記スルー画表示手段を動作させた状態で、上記加振開始スイッチにより上記加振釦の操作を検出したら上記移動手段により撮像手段を変位させ、ぶれた画像を表示する。
さらに、第３の発明に係わるデジタルカメラは、上記第１の発明において、上記移動手段は少なくとも２方向の変位方向に駆動でき、さらにカメラの姿勢差を検出し出力する姿勢検出センサを備え、上記スルー画表示手段を動作させた状態で、上記移動手段により撮像手段を変位させる方向を、上記姿勢検出センサの出力に応じて切り替え、ぶれた画像を表示する。
【０００８】
上記目的を達成するため第４の発明に係わるデジタルカメラは、撮影レンズを通過した被写体光束を受光して被写体像信号を出力する撮像手段と、上記被写体像信号に基づいて被写体の動画像を表示装置に表示するスルー画表示手段と、上記撮像手段の前方に配置された防塵フィルタ手段と、この防塵フィルタ手段を非可聴領域にて振動させる加振手段と、この加振手段に対して上記防塵フィルタを振動させるための制御信号を供給する加振制御手段と、上記撮影レンズを構成する光学系の一部を光軸に垂直な面に沿って変位させる移動手段を具備し、上記スルー画表示手段を動作させた状態で、上記移動手段により上記光学系の一部を変位させ、ぶれた画像を表示する。
第５の発明に係わるデジタルカメラは、上記第４の発明において、上記加振制御手段に駆動開始指示を行う加振開始釦と、この加振開始釦の操作に連動してオンオフする加振開始スイッチを備え、上記スルー画表示手段を動作させた状態で、上記加振開始スイッチにより上記加振釦の操作を検出したら上記移動手段により上記光学系の一部を変位させ、ぶれた画像を表示する。
さらに、第６の発明に係わるデジタルカメラは、上記第４の発明において、上記移動手段は少なくとも２方向の変位方向に駆動でき、さらにカメラの姿勢差を検出し出力する姿勢検出センサを備え、上記スルー画表示手段を動作させた状態で、上記移動手段により上記光学系の一部を変位させる方向を、上記姿勢検出センサの出力に応じて切り替え、ぶれた画像を表示する。
【０００９】
上記目的を達成するため第７の発明に係わるデジタルカメラは、撮影レンズを通過した被写体光束を受光して被写体像信号を出力する撮像手段と、上記被写体像信号に基づいて被写体の動画像を表示装置に表示するスルー画表示手段と、上記撮像手段もしくはこの前方に配置された光学素子に付着した塵埃を除去する塵埃除去手段と、上記スルー画表示手段を動作させた状態で、上記塵埃除去手段を動作させる場合には、上記スルー画表示手段による動画像を揺らして表示するための揺らぎ画像生成手段を具備する。
【００１０】
また、第８の発明に係わるデジタルカメラは、上記第７の発明において、上記揺らぎ画像生成手段は、上記撮像手段を上記撮影レンズの光軸と直交する面上を移動させる移動手段、若しくは上記撮影レンズの光学系の一部を移動させる移動手段である。
さらに、第９の発明に係わるデジタルカメラは、上記第７の発明において、上記塵埃除去手段は、上記撮像手段もしくは上記光学素子に設けられた加振手段による超音波振動、上記撮像手段を駆動しその際に発生する加速度、上記撮像手段もしくは上記光学素子の前面に吹き付けられる空気流、または上記撮像手段若しくは上記光学素子の前面に発生させる静電気によって除去する。
さらに、第１０の発明に係わるデジタルカメラは、上記第７の発明において、上記撮像手段によって出力された被写体像信号に基づいて静止画像を記録する像記録手段を具備する。
【発明の効果】
【００１１】
本発明のデジタルカメラは、スルー画表示中に除塵装置が動作していることを感覚的に把握のできるデジタルカメラを提供することができる。
【発明を実施するための最良の形態】
【００１２】
以下、図面に従って本発明を適用したデジタル一眼レフカメラを用いて好ましい一実施形態について説明する。このデジタルカメラは、撮影レンズによって形成される被写体像を撮像素子上に結像させ、この撮像素子の出力に基づいて被写体像観察用として液晶モニタ等の表示装置に動画像を表示する所謂スルー画表示機能を有している。また、撮像素子の前面に設けた防塵フィルタを非可聴領域の周波数で振動させることにより、防塵フィルタに付着した塵埃の除去を行う塵埃除去機能を有している。さらに、撮影者からの撮影指示に応じて静止画像を取得し、記録媒体に記録可能である。
【００１３】
まず、図１を用いて、デジタル一眼レフカメラの電気系を主とする全体構成を説明する。本実施形態に係わるデジタル一眼レフカメラは、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１４】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００１５】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動反射ミラー２０１が設けられている。この可動反射ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００１６】
上述の可動反射ミラー２０１の中央付近はハーフミラーで構成されており、この可動反射ミラー２０１の背面には、ハーフミラー部で透過した被写体光をカメラ本体２００の下部に反射するためのサブミラー２０３が設けられている。このサブミラー２０３は、可動反射ミラー２０１に対して回動可能であり、可動反射ミラー２０１が跳ね上がっているときには、ハーフミラー部を覆う位置に回動し、可動反射ミラー２０１が被写体像観察位置にあるときには、図示する如く可動反射ミラー２０１に対して開いた位置にある。この可動反射ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量を測定するための回路である。
【００１７】
可動反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００１８】
上述のシャッタ２１３とＣＣＤ２２１の間には、除塵機構を構成する防塵フィルタ２１８とこの防塵フィルタ２１８の周縁部に固着された圧電素子２２０からなる除塵機構が配置されている。この圧電素子２２０は防塵フィルタ駆動回路２１６によって駆動される。ＣＣＤ２２１を周期的に振動させるためのＣＣＤ加振機構２２２が、ＣＣＤ２２１の近傍に設けられている。このＣＣＤ加振機構２２２は、除塵機構が動作中に、スルー画表示画面を上下に周期的に振ることにより、除塵動作中であることを視覚的に分かるようにする機構である。このＣＣＤ加振機構２２２の詳細な構造と作用については、図２を用いて後述する。
【００１９】
ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。
【００２０】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２１】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮し、また伸張するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００２２】
上述の測光センサ２１１、シャッタ駆動機構２１５、防塵フィルタ駆動回路２１６、測距回路２１７、ミラー駆動機構２１９およびＣＣＤ加振機構２２２に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００２３】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。
【００２４】
シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、表示切換を指示するスイッチ等の各種スイッチ２５５は、スイッチ検出回路２５３を介してデータバス２６１に接続されている。また、各種スイッチ２５５には姿勢検知センサ２５６が接続されており、このセンサ出力は各種スイッチ２５５を介して、スイッチ検出回路２５３に出力される。姿勢検知センサ２５６は、カメラ本体２００の姿勢、すなわち重力方向との関係で姿勢を検出するセンサである。カメラ本体２００の横長方向が重力方向と同じ方向の場合に縦位置にあり、横長方向が重力方向と垂直の方向にある場合に横位置である。
【００２５】
次に、図２を用いて、本実施形態におけるＣＣＤ加振機構２２２の構成について説明する。図２（Ａ）に示すように、平板で構成された基板３５１はカメラ本体２００に固定されている。この基板３５１の上辺部にはＬ字状の当接部３５１ａが、下辺部には基板３５１から立ち上がって形成された当接部３５１ｂがそれぞれ設けられている。これらの当接部３５１ａ、３５１ｂは、後述する第１スライダ３５３の上下方向の駆動範囲制限部として作用する。また、基板３５１の左部平板上にはＬ字状に突起した当接部３５１ｃが、右辺部には基板３５１から立ち上がって形成された当接部３５１ｄがそれぞれ設けられている。これらの当接部３５１ｃ、３５１ｄは、後述する第２スライダ３５５の左右方向の駆動範囲制限部として作用する。
【００２６】
基板３５１には、４つのピン３６５ａ、３６５ｂ、３６５ｃ、３６５ｄが植設されている。第１スライダ３５３の長孔３５３ａ、３５３ｂにこれら４つのピン３６５ａ、３６５ｂ、３６５ｃ、３６５ｄが嵌合し、第１スライダ３５３は上下方向に摺動自在となっている。すなわち、上下方向に配列されたピン３６５ａとピン３６５ｂは長孔３５３ａに嵌合しており、同じく上下方向に配列されたピン３６５ｃとピン３６５ｄは長孔３５３ｂに嵌合しており、第１スライダ３５３は、上下方向に摺動自在であり、左右方向には摺動することはない。
【００２７】
第１スライダ３５３の左側の上辺部には突起部３５３ｄが設けられ、下辺部には突起部３５３ｅが設けられている。突起部３５３ｄが前述の当接部３５１ａに当接するまで、第１スライダ３５３は上方向に移動可能であり、突起部３５３ｅが前述の当接部３５１ｂに当接するまで、第１スライダ３５３は下方向に移動可能である。
【００２８】
第１スライダ３５３には、４つのピン３６７ａ、３６７ｂ、３６７ｃ、３６７ｄが植設されている。これら４つのピン３６７ａ、３６７ｂ、３６７ｃ、３６７ｄに、第２スライダ３５５の長孔３５５ａ、３５５ｂが嵌合し、左右方向に摺動自在となっている。すなわち、左右方向に配列されたピン３６７ａとピン３６７ｂは長孔３５５ａに嵌合しており、同じく左右方向に配列されたピン３６７ｃとピン３６７ｄは長孔３５５ｂに嵌合しており、第２スライダ３５５は、左右方向に摺動自在であり、上下方向には摺動することはない。
【００２９】
第２スライダ３５５の左辺部には平板より立ち上がって形成された突起部３５５ｃが設けられ、右辺部には突起部３５５ｄが設けられている。突起部３５５ｃが前述の当接部３５１ｃに当接するまで、第２スライダ３５５は左方向に移動可能であり、突起部３５５ｄが前述の当接部３５１ｄに当接するまで、第２スライダ３５３は右方向に移動可能である。
【００３０】
ステッピングモータ（以下モータと略す）３５７は、カメラ本体２００に固定されており、モータ３５７の駆動軸３５７ａは、基板３５１の図示しない孔を貫挿し、駆動歯車３５９と一体に固着されている。この駆動歯車３５９は第１スライダ３５３の左辺部の側壁に形成された平歯車３５３ｆに噛合しており、駆動歯車３５９と平歯車３５３ｆによって、いわゆるラックアンドピニオンを構成している。したがって、モータ３５７が回転すると、駆動歯車３５９が回転し、これと噛合する第１スライダ３５３は上下方向に摺動する。なお、図２においては、モータ３５７の駆動力伝達系に歯車として、駆動歯車３５９しか描かれていないが、モータ３５７の回転を減速するために、複数の歯車列を設けても、勿論構わない。
【００３１】
第１スライダ３５３に設けたＬ字状突起部３５３ｃに、ステッピングモータ（以下モータと略す）３６１が固定されており、モータ３６１の駆動軸３６１ａは、駆動歯車３６３と一体に固着されている。この駆動歯車３６３は第２スライダ３５５の下辺部の側壁に形成された平歯車３５５ｅに噛合しており、駆動歯車３５９と平歯車３５５ｅによって、いわゆるラックアンドピニオンを構成している。したがって、モータ３６１が回転すると、駆動歯車３６３が回転し、これと噛合する第２スライダ３５５は左右方向に摺動する。なお、上下方向の駆動の場合と同じく、図２においては、モータ３６１の駆動力伝達系に歯車としては駆動歯車３６３しか描かれていないが、モータ３６１の回転を減速するために、複数の歯車列を設けても、勿論構わない。
【００３２】
第２スライダ３５５には、前述のＣＣＤ２２１が載置されており、この前側には、図２（Ｂ）に示す如く、前述の防塵フィルタ２１８が設けられている。防塵フィルタ２１８の周縁部には、図２（Ｃ）に示す如く、圧電素子２２０が固着されており、受け部３８３と圧電素子２２０の間にはＯリング３７１が配設されている。このため、圧電素子２２０が超音波で振動しても、その振動はＯリング３７１によって吸収され第２スライダに伝達されない。また、Ｏリング３７１、受け部３７３および防塵フィルタ２１８によってＣＣＤ２２１は密封状態とされ、外部から塵埃が侵入することはない。なお、図２（Ｃ）は、図２（Ｂ）のＡ−Ａ部分の断面を示すＡ−Ａ断面図である。
【００３３】
このように、ＣＣＤシフト機構３０１は構成されているので、モータ３５７が回転すると、当接部３５１ａと当接部３５１ｂによって決められる駆動制限範囲の中で、第１スライダ３５３は基板３５１上を上下方向に摺動可能である。同様に、モータ３６１が回転すると、当接部３５１ｃと当接部３５１ｄによって決められる駆動制限範囲の中で、第２スライダ３５５は第１スライダ３５３上を左右方向に摺動可能である。また、防塵フィルタ２１６によって圧電素子２２０に制御信号が印加され、超音波で振動することによって塵埃を除去することができる。
【００３４】
なお、撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。また、本実施形態における撮像素子ユニット自体を振動駆動する機構を利用して、その際撮像素子ユニットに加わる加速度を用いて、塵埃を除去するようにしても構わない。
【００３５】
次に、図３及び図４を用いて塵埃除去動作を行う防塵フィルタ駆動回路２１６とその周辺回路について説明する。防塵フィルタ駆動回路２１６内に配置されたＮ進カウンタ４１は、入出力回路２３９内のクロックジェネレータ５５から出力されるクロックパルス（Ｓｉｇ１）を入力し、また入出力回路２３９の出力ＩＯポートであるＤ_Ｃｎｔ端子から出力されるカウンタ設定値Ｎを入力する。Ｎ進カウンタ４１はクロックパルスをカウントしてカウンタ設定値Ｎとなるとパルス（Ｓｉｇ２）を出力する。このパルスＳｉｇ２を入力するＤフリップフロップから構成される１／２分周回路４２は、パルスＳｉｇ２の立ち上がり信号を入力するたびに出力（Ｓｉｇ３）が反転する分周回路である。
【００３６】
１／２分周回路４２の出力端子はインバータ４３の入力端子に接続され、このインバータ４３の出力端子は、ＭＯＳトランジスタ（Ｑ０２）４４ｃのゲートに接続される。ＭＯＳトランジスタ（Ｑ０２）４４ｃのソースはトランス４５の一次側の一端に接続され、ドレインは抵抗（Ｒ００）４６を介して接地されている。また、１／２分周回路４２の出力端子はＭＯＳトランジスタ（Ｑ０１）４４ｂのゲートに接続され、ＭＯＳトランジスタ（Ｑ０１）４４ｂのソースはトランス４５の一次側の他端に接続され、ドレインはＭＯＳトランジスタ（Ｑ０２）４４ｃのドレインに接続されている。
【００３７】
トランス４５の一次側中間タップは電源オンオフ用のＭＯＳトランジスタ（Ｑ００）４４ａのドレインに接続しており、このＭＯＳトランジスタ（Ｑ００）４４ａのゲートは、入出力回路２３９のＩＯポートであるＰ_ＰｗＣｏｎｔ端子に接続され、このトランジスタのソースは、電源回路５３ａに接続されている。また、トランス４５の二次側の一端は、圧電素子２２０の一端に接続され、圧電素子２２０の他端は接地されている。圧電素子２２０はトランス４５による昇圧交流電圧（Ｓｉｇ４）を受け、非可聴領域の周波数、例えば、超音波振動を行う。
【００３８】
以上のように、防塵フィルタ駆動回路２１６とその周辺回路は構成されている。まず、ＭＯＳトランジスタ（Ｑ００）４４ａのゲートに、入出力回路２３９のＰ_ＰｗＣｏｎｔ端子からＬレベル信号が印加されると、トランジスタ４４ａはｐチャネルタイプであることから、導通し、電源回路５３ａから電源電圧がトランス４５の一次側中間タップに印加される。
【００３９】
この状態で、入出力回路２３９のクロックジェネレータ５５からクロックパルス（図４のＳｉｇ１参照）がＮ進カウンタ４１に出力されると、Ｎ進カウンタ４１はカウントを開始し、入出力回路２３９のＤ_ＮＣｎｔを介して設定された設定値Ｎまでカウントすると、出力端子からパルス信号Ｓｉｇ２を出力する（図４のＳｉｇ２参照）。Ｎ進カウンタ４１からのパルス信号Ｓｉｇ２を入力する１／２分周回路４２によって、デューティ比が５０％のパルス信号（図４のＳｉｇ３）に変換され、このパルス信号はＭＯＳトランジスタ（Ｑ０１）４４ｂのゲートと、インバータ４３を介してＭＯＳトランジスタ（Ｑ０２）４４ｃに印加される。
【００４０】
ＭＯＳトランジスタ（Ｑ０１）４４ｂとＭＯＳトランジスタ（Ｑ０２）４４ｃは交互にオン状態となり、トランス４５の一次側には中間タップを介して電源回路５３ａから電源電圧が印加され、トランス４５の巻線数比に従って昇圧された電圧（図４のＳｉｇ４）が二次側から出力され、圧電素子２２０に印加される。圧電素子２２０に印加される高圧電圧の周波数は入出力回路２３９のＤ_ＮＣｎｔ端子から設定される設定値Ｎによって変化させることができるので、圧電素子２２０の共振周波数となるように設定値Ｎを決めれば効率よく塵埃を除去することができる。なお、入出力回路２３９から防塵フィルタ駆動回路２１６に供給される信号は、ボディＣＰＵ２２９の制御によるものである。
【００４１】
次に、図５を用いて、カメラ本体２００の表示および動作モードの概略について説明する。
情報表示Ｍ１００はカメラ本体２００の電源スイッチがオンとなったときの初期設定される状態であり、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤルの回動操作によって設定される。また、感度、シャッタ速度、絞り値、補正値、画素数といった項目は、情報表示画面において十字キーを操作することによって項目を選択し、コントロールダイヤルの操作で数値を設定する。
【００４２】
情報表示Ｍ１００の状態において、レリーズ釦を半押しすることによって、１Ｒスイッチがオンとなり、撮影動作Ａ  Ｍ１３０に入り、レリーズ釦から手を離し、半押しが解除されることによって情報表示Ｍ１００に戻る。この撮影動作準備動作Ｍ１３０では、測光・測距等の撮影のための準備動作を行う。この後、レリーズ釦を全押しすると、撮影動作Ａ  Ｍ１３１を行う。この撮影動作Ａにおいて、ＣＣＤ２２１から被写体像の光電変換信号を取り込み、画像処理回路２２７によって画像処理の上、画像データを記録媒体２４５に記録動作を行う。
【００４３】
また、情報表示モードＭ１００において、表示切換釦を操作すると、スルー画表示モードＭ３００となる。このスルー画表示モードでは、前述したように被写体像記録用のＣＣＤ２２１の出力を用いて観察用に被写体像を液晶モニタ２６に表示する。このスルー画表示モードＭ３００において、レリーズ釦を半押しした状態では特に動作は何も行われないが、さらにレリーズ釦を全押しすると、撮影動作Ｂ  Ｍ３３０が実行される。撮影動作Ｂでは、ＣＣＤ２２１によって取得した被写体画像データを記録媒体２４５に記録する。撮影動作Ｂが終了すると、スルー画表示モードに戻る。
【００４４】
次に、前述のスルー画表示モードＭ３００について、図６に示すフローチャートを用いて、その詳細を説明する。スルー画表示モードに入ると、まず、測光センサ２１１の出力に基づいて被写体輝度の測定を行い、ここで得た被写体輝度に基づいてシャッタ速度及び／又は絞り値を演算により求める露光量演算を行う（＃１）。
【００４５】
なお、ここで、求めるシャッタ速度及び／または絞り値は、前述の撮影モードにしたがって行う。この後、ＣＣＤ２２１の出力に基づいて被写体像を得るための準備を行う。このため、可動反射ミラー２０１をアップさせ（＃３）、レンズ１０１、１０２からの被写体光束をファインダ光学系からＣＣＤ２２１側に導くようにする。可動反射ミラー２０１が上昇すると、ステップ＃５に進み、シャッタ２１３を開放状態にする。シャッタ２１３が開放となることにより、ＣＣＤ２２１上に被写体像が結像する。
【００４６】
この後、ＣＣＤ２２１の駆動にあたっての電子シャッタスピードと感度の条件設定を行うために、ステップ＃２で求めた測光・露光量の演算結果を用いてスルー画条件設定１のサブルーチンを実行する（＃７）。このサブルーチンの実行によって液晶モニタ２６に適切な明るさ（明度）の像を表示することができるが、このサブルーチンの詳細は図７を用いて後述する。スルー画条件設定１が終了すると、これで、スルー画表示の準備ができたので、ステップ＃９において、液晶モニタ２６に被写体像の表示を開始させる。なお、スルー画表示動作の制御はこの開始指示を受けて画像処理回路２２７にて行われる。
【００４７】
次に、ステップ＃２１において、レリーズ釦が全押しされたか、すなわち２Ｒがオンか否かの判定を行う。オンの場合には、撮影動作Ｂを行うための準備動作として、スルー画表示の停止のための動作をステップ＃２３および＃２５において行う。まず、ＣＣＤ２２１への電源供給を停止し、液晶モニタ２６でのスルー画表示を停止する（＃２３）。続いて、シャッタ２１３を閉じ（＃２５）、被写体光束をＣＣＤ２２１側からファインダ光学系側に切り換える（＃２７）。
【００４８】
シャッタ閉じ動作が終わると、次にステップ＃２７に進み、撮影動作Ｂのルーチンに移行する。このルーチンにおいて、ＣＣＤ２２１の出力に基づいて静止画像データを取得し、記録媒体２４５に静止画像データの記録を行う。撮影動作Ｂが終わると、ステップ＃１に戻り、前述の動作を繰り返す。
【００４９】
ステップ＃２１に戻り、２Ｒがオフであった場合には、ステップ＃３１に進み、表示切換釦がオンか否かの判定を行う。判定の結果、表示切換釦が操作されておりオンであった場合には、スルー画表示モードＭ３００から情報表示モードＭ１００に戻るための準備動作を行う。この準備動作のステップ＃３３および＃３５は、前述のステップ＃２３およびステップ＃２５と同様の処理なので、詳細は省略する。ステップ＃３５にてシャッタ閉じ動作が終了すると、可動反射ミラー２０１をダウンさせ、被写体光束をファインダ光学系に導くようにしてから、前述の情報表示モードＭ１００に移行する。
【００５０】
ステップ＃３１に戻り、判定の結果、表示切換釦３４がオフであった場合には、ステップ＃３９に進み、電源スイッチ（不図示）がオフか否かを判定する。判定の結果オフだった場合は、電源オフを行うがその前の準備動作として、ステップ＃４１からステップ＃４５を行うがこれらは前述のステップ＃３３から＃３７と同様であるので、詳細は省略する。ステップ＃４５にて可動反射ミラー２０１がダウンすると電源をオフし、動作を停止する。
【００５１】
ステップ＃３９に戻り、電源スイッチの判定の結果、オフではなかった場合には、ステップ＃４７に進み、除塵釦がオンか否かの判定を行う。除塵釦が操作され、オンである場合には、ステップ＃４９に進み、縦位置か否かの判定を行う。これは姿勢検知センサ２５６の出力に基づいて、カメラ本体２００の長手方向が重力方向に把持されているかを判定する。この判定は、除塵動作を実行中に、液晶モニタ２６の画面を揺らして、除塵動作実行中であることを表示する際に、その揺れる方向を決めるためである。すなわち、カメラ本体２００を横位置（長手方向が水平線の方向と一致する状態）で構えている場合でも、縦位置（長手方向が重力方向と一致する状態）に構えている場合でも、重力方向にＣＣＤ２２１を駆動することにより、塵埃を払い落とし易いことから、この方向にＣＣＤ２２１を駆動するようにしている。
【００５２】
判定の結果、縦位置に構えていた場合には、ステップ＃５３に進み、ＣＣＤ２２１のユニットをＸ方向（図２参照）に駆動を開始する。このためにはモータ３６１の駆動を開始させ、第２スライダ３５５をゆっくりと振動させればよい。これによって、液晶モニタ２６の被写体画像は上下に揺れ、塵埃除去動作が実行中であることを、ユーザが容易に認識することができると共に、重力方向にＣＣＤ２２１が駆動され、第２スライダ３５５の突起部３５５ｃが当接部３５１ｃに当接する際の加速度の変化、または第２スライダ３５５の突起部３５５ｄが当接部３５１ｄに当接する際の加速度の変化を利用して、塵埃を除去することに寄与することができる。なお、このＣＣＤ２２１のユニットの振動周期は、液晶モニタ２６に表示のフレームレートより遅くする必要があり、フレームレートの１／１０程度が望ましい。
【００５３】
ステップ＃４９での判定の結果、横位置に構えていた場合には、ステップ＃５１に進み、ＣＣＤ２２１のユニットをＹ方向（図２参照）に駆動を開始する。このためにはモータ３５７の駆動を開始させ、第１スライダ３５３をゆっくりと振動させればよい。これによって、Ｘ方向の駆動と同様に、液晶モニタ２６は上下に揺れ、塵埃除去動作が実行中であることを、ユーザが容易に認識することができると共に、塵埃除去に寄与することができる。なお、振動周期もＸ方向に駆動の場合と同様である。
【００５４】
ステップ＃５１またはステップ＃５３において、ＣＣＤ２２１の振動を開始させると、次に、ステップ＃５５において、１秒タイマリセットさせた後、スタートさせる。これは除塵動作を１秒間行うが、この１秒間の計測用である。１秒タイマをスタートさせると、次に、ステップ＃５７において除塵動作を開始させる。除塵動作は、防塵フィルタ駆動回路２１６を介して圧電素子２２０に駆動電圧を印加し超音波で防塵フィルタ２１８を振動させて行う。
【００５５】
ステップ＃５７において除塵動作を開始すると、続いてステップ＃５９で除塵動作開始から１秒間経過を待つ。１秒間が経過すると、ステップ＃６１に進み、除塵動作を停止し、続いてステップ＃６３において、ステップ＃５１またはステップ＃５３で開始したＣＣＤ振動を停止する。
【００５６】
このように、本実施形態においては、除塵釦が操作されたときは、ステップ＃５７において除塵動作を開始する。この除塵動作中にＣＣＤ２２１を上下方向に繰り返し振動させることにより、液晶モニタ２６のスルー画像を揺れさせ、除塵動作中であることが一目で分かるようにしている。また、スルー画像の揺らすために、ＣＣＤ２２１を駆動する方向を重力方向としたので、加速度に重力が重畳するので、塵埃を払い落とし易いという利点がある。
【００５７】
なお、本実施形態においては、ＣＣＤ２２１を駆動する方向を重力方向である上下方向としたが、必ずしも上下方向とせずに、これと異なる方向でも勿論構わない。左右方向に振る場合には、塵埃除去能力は低下するが、圧電素子２２０の超音波振動によって十分除塵することができるならば、液晶モニタ２６の画面において、上下に被写体像が揺れるよりは左右に揺れる方がユーザにとって違和感が少なくなるという利点がある。また、除塵動作を行う時間をステップ＃５９において、１秒間としたが、これに限らず、適宜変更することができる。
【００５８】
次に、ステップ＃４７において除塵釦３９がオフであった場合、またはステップ＃６３にてＣＣＤ振動停止を終えた場合には、ステップ＃６５に進む。ここでスルー画条件の設定２を実行した後に、ステップ＃２１に戻り、前述のステップを繰り返す。ステップ＃６５におけるスルー画条件の設定２は、液晶モニタ２６におけるスルー画表示の明度を適切に保つことを目的とするサブルーチンである。ステップ＃７のスルー画条件設定１はスルー画表示前であったので、測光センサ２１１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤ２２１の各画素出力の加重平均値に対応した値である。
【００５９】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップ＃２０１において、測光センサ２１１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。
【００６０】
この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（＃２０７）。ＣＣＤ駆動回路２２３は、ここで設定・記憶されたＴＶ１とＳＶ１に基づいてＣＣＤ２２１の駆動制御を行い、光電変換信号の読み出しを行う。ステップ＃２０７にてＴＶ１およびＳＶ１の設定が終了すると元のフローに戻る。
【００６１】
次に、「スルー画条件設定２」を説明する。設定２のサブルーチンに入ると、まず、狙いの画像明度（所定値）と前回撮像時の画像明度との差ΔＥＶを算出する（＃２０３）。続いて、画像明度が一定となるように、次回撮像時の電子シャッタスピードＴＶ１と感度ＳＶ１を決定する（＃２０５）。この決定にあたっては、次の要素から求める。
・開放絞り値ＡＶ０
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶ０＋ＴＶ０＝ＢＶ０＋ＳＶ０
である。
【００６２】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶ０＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップ＃２０５を終了すると、前述したステップ＃２０７に進み、このステップを実行した後、元のフローに戻る。
【００６３】
以上、説明したように本発明の第１実施形態においては、撮像素子としてのＣＣＤ２２１からの出力を用いて液晶モニタ２６に動画像でスルー画表示を行っている際に、除塵釦によって除塵動作が指示されると、防塵フィルタ駆動２１６からの出力信号を受ける圧電素子２２０は超音波で振動し、防塵フィルタ２１８に付着している塵埃を除去する。このとき、ＣＣＤ加振機構２２２はＣＣＤ２２１を第１スライダ３５３若しくは第２スライダ３５５を駆動し、液晶モニタ２６に表示されるスルー画が、ユーザの目に分かる程度にゆっくりと画像が揺れるようにしている。このため、ＬＣＤやＬＥＤで除塵動作中であることを表示する場合に比べ、直接的にかつ違和感なく認識することができる。なお、除塵動作は、除塵釦の操作によって開始する以外にも、種々のタイミング、例えば、レリーズ釦の半押し時や撮影動作の終了時等で実行しても良く、その際にスルー画表示されている場合には、本実施形態の如く、画像が揺れるようにしても勿論構わない。
【００６４】
次に、本発明の第２実施形態について図８を用いて説明する。第１実施形態では、液晶モニタ２６に表示される画像をぶれさせるために、ＣＣＤ２２１を移動するようにしていたが、第２実施形態では、撮影レンズの光学系の一部を移動することにより画像をぶれさせている。第２実施形態は、第１実施形態において、ＣＣＤ加振機構２２２の代わりにＸＹ方向駆動機構１１０を設ける以外は第１実施形態と同じであるので、相違点のみを説明する。
【００６５】
図８において、交換レンズ１００内には、ＸＹ方向駆動機構１１０が設けられている。このＸＹ方向駆動機構１１０は、交換レンズ１００内の撮影レンズの一部について、Ｘ方向とＹ方向に、それぞれ独立して移動させるための駆動機構である。なお、このＸ方向およびＹ方向は、図２に示したＸ方向およびＹ方向と同方向である。
【００６６】
このように第２実施形態は構成されているので、除塵釦が操作された際には、姿勢検出センサ２５６の出力に基づいて縦位置にあるか否かの判定結果（図６ステップ＃４９）に応じて、光学系の一部をＸ方向またはＹ方向に振動を開始させる（図６ステップ＃５１、＃５３）。除塵動作中に、撮影レンズの光学系の一部が振動駆動するので、ＣＣＤ２２１上に結像される被写体像もぶれ、液晶モニタ２６に表示されるスルー画像もぶれて、第１実施形態と同様にぶれて表示される。
【００６７】
本発明の第２実施形態も、第１実施形態と同様に、スルー画表示を行っている際に、除塵釦によって除塵動作が指示されると、除塵動作を行うと共に、撮影レンズの光学系の一部を変位させることによって、液晶モニタ２６に表示されるスルー画が、ユーザの目に分かる程度にゆっくりと画像が揺れるようにしている。このため、ＬＣＤやＬＥＤで除塵動作中であることを表示する場合に比べ、直接的にかつ違和感なく認識することができる。
【００６８】
本発明の各実施形態の説明にあたっては、デジタル一眼レフカメラを例に挙げたが、これに限らず、塵埃除去装置を有すると共に、撮像素子を有し、この撮像素子の出力に基づいて動画像（スルー画）を表示することのできるデジタルカメラや電子撮像装置であれば適用できることは勿論である。
【図面の簡単な説明】
【００６９】
【図１】本発明の第１実施形態に係るデジタル一眼レフカメラの主に電気系の全体構成を示すブロック図である。
【図２】本発明の第１実施形態におけるＣＣＤシフト機構を示す図であって、（Ａ）はＣＣＤシフト機構の斜視図、（Ｂ）はＣＣＤシフト機構のＣＣＤとその周辺の部材の配置を示す図、（Ｃ）はＣＣＤとその周辺のＡ−Ａ断面図である。
【図３】本発明の第１実施形態における防塵フィルタ駆動回路とその周辺回路の回路構成を示す回路図である。
【図４】本発明の第１実施形態における防塵フィルタ駆動回路とその周辺回路の動作を説明するための図３中の各部における信号波形を表すタイムチャート図である。
【図５】本発明の第１実施形態における表示モードおよびその動作モード・メニューの階層構造を示すブロック図である。
【図６】本発明の第１実施形態におけるスルー画表示モードのフローチャートである。
【図７】本発明の第１実施形態におけるスルー画条件の設定１とスルー画条件の設定２のフローチャートである。
【図８】本発明の第２実施形態に係るデジタル一眼レフカメラの主に電気系の全体構成を示すブロック図である。
【符号の説明】
【００７０】
２６  液晶モニタ
１００  レンズ鏡筒
１１０  ＸＹ方向駆動機構
２００  カメラ本体
２１３  シャッタ
２１６  防塵フィルタ駆動回路
２１８  防塵フィルタ
２２０  圧電素子
２２１  ＣＣＤ
２２２  ＣＣＤ加振機構
２２９  ボディＣＰＵ
２２７  画像処理回路
２５６  姿勢検知センサ
３５３  第１スライダ
３５５  第２スライダ
【図２】
2008058770.tif 000003
【図１】
2008058770.tif 000004
【図３】
2008058770.tif 000005
【図４】
2008058770.tif 000006
【図５】
2008058770.tif 000007
【図６】
2008058770.tif 000008
【図７】
2008058770.tif 000009
【図８】
2008058770.tif 000010